(57)【要約】【課題】ベルト式無段変速機を備えた車両の制御装置において、ベルト戻り不良が生じている状態での走行用駆動力源の始動時に、非走行位置から走行位置へシフト操作されるガレージシフトが行われたときのベルト滑りを抑制する。【解決手段】伝動ベルト４８が最減速位置に戻っていない状態においてガレージシフトが行われたときに変速制御圧ＰRATIOが充満していない場合には、前進用クラッチＣ１或いは後進用ブレーキＢ１に供給される制御油圧ＰＳＬＴを予め定められた規則に従った油圧よりも一時的に低下させるように油圧低下制御手段１７０によりリニアソレノイド弁ＳＬＴが制御されるので、無段変速機１８に入力（伝達）されるエンジントルクＴＥが低下させられて、伝動ベルト４８が最減速位置に戻っていない状態でガレージシフトが行われたときのベルト滑りが抑制される。【選択図】図７
2007177832.tif 000002
【特許請求の範囲】
【請求項１】
走行用動力源と駆動輪との間の動力伝達経路にベルト式の無段変速機が配設された車両において、前記走行用動力源と前記無段変速機との間の動力伝達経路を動力伝達可能状態と動力伝達遮断状態とに切換え可能な油圧式係合装置と、該油圧式係合装置への油圧の供給油路を該油圧式係合装置の過渡的な係合状態を制御するために第１の電磁弁により予め定められた規則に従って調圧された第１油圧を供給する第１の油路と該油圧式係合装置を完全係合状態とするための第２油圧を供給する第２の油路とのいずれかに第２の電磁弁からの信号油圧に基づいて切り換える切換弁と、前記無段変速機の変速比を変化させるためのアクチュエータへの油圧を前記第２の電磁弁からの信号油圧に基づいて制御する変速比制御弁とを備え、非走行位置から走行位置へシフト操作されるガレージシフトが行われたときには、前記切換弁を前記第１の油路に切り換えるための信号油圧を前記第２の電磁弁から出力すると共に、該第１の油路に切り換えるための信号油圧に拘わらず前記無段変速機が所定の変速比となるように前記変速比制御弁を介して前記アクチュエータへ油圧が供給される車両の制御装置であって、
前記無段変速機のベルトが変速比を最大変速比とするための最減速位置に戻っていない状態において、前記ガレージシフトが行われたときに前記アクチュエータの油圧が充満していない場合には、前記第１油圧を前記予め定められた規則に従った油圧よりも一時的に低下させるように前記第１の電磁弁を制御する油圧低下制御手段を含むことを特徴とする車両の制御装置。
【請求項２】
前記油圧低下制御手段は、ガレージシフト後も前記動力伝達遮断状態が継続されるように、前記第１油圧を一時的に低下させるものである請求項１の車両の制御装置。
【請求項３】
前記油圧低下制御手段は、前記無段変速機のベルトが最減速位置に戻っていない状態で前記走行用動力源が停止した後の該走行用動力源の始動後において、前記第１油圧を一時的に低下させるものである請求項１または２の車両の制御装置。
【請求項４】
前記油圧低下制御手段は、前記走行用動力源の始動から前記アクチュエータの油圧が充満するまでに必要な時間として予め求められた所定経過時間以上経過して該アクチュエータの油圧が充満するまでの間、前記第１油圧を一時的に低下させるものである請求項１乃至３のいずれかの車両の制御装置。
【請求項５】
前記油圧低下制御手段により前記第１油圧が一時的に低下させられているときには、出力操作部材による出力増加操作に拘わらず前記走行用動力源の出力増加を抑制する動力源出力制御手段をさらに含むものである請求項１乃至４のいずれかの車両の制御装置。
【発明の詳細な説明】
【技術分野】
【０００１】
本発明は、ベルト式無段変速機を備えた車両の制御装置に係り、特に、ガレージシフト時に係合される油圧式係合装置の係合油圧制御に関するものである。
【背景技術】
【０００２】
プライマリプーリおよびセカンダリプーリとそれら両プーリに巻き掛けられたベルトとを有するベルト式の無段変速機を備えた車両の制御装置において、動力源と無段変速機との間の動力伝達経路に動力伝達或いは遮断のために配設された油圧式係合装置への油圧の供給油路を、第１の電磁弁により調圧された第１油圧を供給する第１の油路と、完全係合状態を保持するための第２油圧を供給する第２の油路とのいずれかに切り換えるための切換弁を備え、その切換弁が第２の電磁弁からの出力油圧に基づいて切り換えられるようにした回路が良く知られている。
【０００３】
例えば、特許文献１に記載されたベルト式無段変速機の油圧制御装置がそれである。この特許文献１には、例えばＮ→Ｄシフト操作やＮ→Ｒシフト操作のようにシフトレバーが非走行ポジションから走行ポジションへ操作される所謂ガレージシフトと称される発進用シフトに伴って、エンジンと無段変速機との間に配設された前後進切換装置のクラッチを係合させる際に、リニアソレノイド弁型式の第１電磁弁により調圧された第１油圧である係合過渡油圧をクラッチへ供給する第１油路と完全係合状態を保持するための第２油圧である所定油圧をクラッチへ供給する第２油路とを切り換える切換弁であるガレージシフトバルブを備え、そのガレージシフトバルブをオンオフ弁型式の第２電磁弁の出力油圧に基づいて切り換える油圧制御装置が記載されている。また、上記第１電磁弁は、通常は無段変速機のベルト挟圧力を制御するための信号圧を出力するものであるが、ガレージシフト時のみ上記係合過渡油圧を調圧するために用いられるようになっており、クラッチの係合過渡油圧制御とベルト挟圧力制御とを行う兼用の電磁弁として機能している。
【０００４】
【特許文献１】特開２００４−８４８３１号公報
【発明の開示】
【発明が解決しようとする課題】
【０００５】
ところで、小型化の観点から上記特許文献１に記載されたように２つ以上の制御を兼用の電磁弁にて行って電磁弁の数を減少さたり、調圧弁等の数を減少させたりすることが望まれる。そして、２つ以上の制御を兼用の電磁弁にて行う別の例としては、例えばガレージシフト時には変速を行う必要がないことから、通常は無段変速機の変速を制御するための信号圧を出力する電磁弁をガレージシフト時のみガレージシフトバルブを切り換えるために用いることが考えられる。すなわち、上記第２電磁弁を変速制御とガレージシフトバルブの切換制御とを行う兼用の電磁弁として用いることが考えられる。
【０００６】
このように第２電磁弁を変速制御とガレージシフトバルブの切換制御とを行う兼用の電磁弁として用いた場合には、エンジン始動時にガレージシフトが行われたときに、無段変速機の変速比を変化させるためのアクチュエータの油圧がエンジン停止によって低下していたとしても、そのアクチュエータへの油圧を第２電磁弁では制御できない。つまり、第２電磁弁によりアクチュエータへの油圧を急速に充満することはできない。
【０００７】
このとき、ガレージシフトによって油圧式係合装置が係合されるが、無段変速機のベルトが変速比を最大変速比とするための最減速位置に戻っている状態では、プライマリプーリの溝幅が最大とされておりアクチュエータの油圧が充満していなくともベルト挟圧力のみを制御すればベルト滑りが生じることはない。しかしながら、車両の急停車やＡＢＳ（アンチロック・ブレーキ・システム）作動などによりベルトが最減速位置に戻っていない状態で停止する所謂ベルト戻り不良が生じている状態では、アクチュエータの油圧が充満していないとベルト滑りが生じる可能性があった。
【０００８】
本発明は、以上の事情を背景として為されたものであり、その目的とするところは、非走行位置から走行位置へシフト操作されるガレージシフトが行われたときには、切換弁を第１油路に切り換えるための信号油圧を電磁弁から出力すると共に、その信号油圧に拘わらずベルト式無段変速機が所定の変速比となるように変速比制御弁を介して変速比を変化させるためのアクチュエータへ油圧が供給される車両の制御装置において、ベルトが最減速位置に戻っていない状態でガレージシフトが行われたときのベルト滑りを抑制することにある。
【課題を解決するための手段】
【０００９】
かかる目的を達成するための請求項１にかかる発明の要旨とするところは、(a) 走行用動力源と駆動輪との間の動力伝達経路にベルト式の無段変速機が配設された車両において、前記走行用動力源と前記無段変速機との間の動力伝達経路を動力伝達可能状態と動力伝達遮断状態とに切換え可能な油圧式係合装置と、その油圧式係合装置への油圧の供給油路をその油圧式係合装置の過渡的な係合状態を制御するために第１の電磁弁により予め定められた規則に従って調圧された第１油圧を供給する第１の油路とその油圧式係合装置を完全係合状態とするための第２油圧を供給する第２の油路とのいずれかに第２の電磁弁からの信号油圧に基づいて切り換える切換弁と、前記無段変速機の変速比を変化させるためのアクチュエータへの油圧を前記第２の電磁弁からの信号油圧に基づいて制御する変速比制御弁とを備え、非走行位置から走行位置へシフト操作されるガレージシフトが行われたときには、前記切換弁を前記第１の油路に切り換えるための信号油圧を前記第２の電磁弁から出力すると共に、その第１の油路に切り換えるための信号油圧に拘わらず前記無段変速機が所定の変速比となるように前記変速比制御弁を介して前記アクチュエータへ油圧が供給される車両の制御装置であって、(b) 前記無段変速機のベルトが変速比を最大変速比とするための最減速位置に戻っていない状態において、前記ガレージシフトが行われたときに前記アクチュエータの油圧が充満していない場合には、前記第１油圧を前記予め定められた規則に従った油圧よりも一時的に低下させるように前記第１の電磁弁を制御する油圧低下制御手段を含むことにある。
【発明の効果】
【００１０】
このようにすれば、ベルト式の無段変速機のベルトが変速比を最大変速比とするための最減速位置に戻っていない状態において、ガレージシフトが行われたときに変速比を変化させるためのアクチュエータの油圧が充満していない場合には、走行用動力源と無段変速機との間の動力伝達経路を動力伝達可能状態に切換えるために油圧式係合装置へ供給される第１油圧を予め定められた規則に従った油圧よりも一時的に低下させるように油圧低下制御手段により第１の電磁弁が制御されるので、無段変速機に入力される走行用動力源の出力トルクが低下させられて、ベルトが最減速位置に戻っていない状態でガレージシフトが行われたときのベルト滑りが抑制される。
【００１１】
ここで、請求項２にかかる発明は、請求項１に記載の車両の制御装置において、前記油圧低下制御手段は、ガレージシフト後も前記動力伝達遮断状態が継続されるように、前記第１油圧を一時的に低下させるものである。このようにすれば、無段変速機に入力される走行用動力源の出力トルクが遮断させられて、ベルトが最減速位置に戻っていない状態でガレージシフトが行われたときのベルト滑りが防止される。
【００１２】
また、請求項３にかかる発明は、請求項１または２に記載の車両の制御装置において、前記油圧低下制御手段は、前記無段変速機のベルトが最減速位置に戻っていない状態で前記走行用動力源が停止した後のその走行用動力源の始動後において、前記第１油圧を一時的に低下させるものである。このようにすれば、ベルト戻り不良が生じている状態での走行用駆動力源の始動時にガレージシフトが行われたときのベルト滑りが抑制されたり或いは防止される。
【００１３】
また、請求項４にかかる発明は、請求項１乃至３のいずれかに記載の車両の制御装置において、前記油圧低下制御手段は、前記走行用動力源の始動から前記アクチュエータの油圧が充満するまでに必要な時間として予め求められた所定経過時間以上経過してそのアクチュエータの油圧が充満するまでの間、前記第１油圧を一時的に低下させるものである。このようにすれば、ベルト戻り不良が生じている状態での走行用駆動力源の始動時にガレージシフトが行われたときのベルト滑りが抑制されたり或いは防止される。
【００１４】
また、請求項５にかかる発明は、請求項１乃至４のいずれかに記載の車両の制御装置において、前記油圧低下制御手段により前記第１油圧が一時的に低下させられているときには、出力操作部材による出力増加操作に拘わらず前記走行用動力源の出力増加を抑制する動力源出力制御手段をさらに含むものである。このようにすれば、無段変速機に入力される走行用動力源の出力トルクの増加が抑制させられてベルト戻り不良が生じている状態での走行用駆動力源の始動時にガレージシフトが行われたときのベルト滑りが一層確実に抑制されたり或いは防止される。
【００１５】
例えば、前記走行用動力源がガソリンエンジンやディーゼルエンジン等の内燃機関であるエンジンである場合には、前記動力源出力制御手段は、電子スロットル弁の開度を制御したり、燃料噴射量を低減したり、或いは点火時期を制御して、出力操作部材による出力増加操作に拘わらずエンジンの出力増加を抑制する。また、走行用動力源としては、このようなエンジンが広く用いられるが、電動機等がこのエンジンに加えて用いられても良い。或いは、走行用動力源として電動機のみが用いられてもよい。
【００１６】
ここで、好適には、前記ベルト式の無段変速機は、動力伝達部材として機能する伝動ベルトが有効径が可変である一対の可変プーリである入力側可変プーリおよび出力側可変プーリに巻き掛けられ変速比が無段階に連続的に変化させられる。
【００１７】
例えば、上記無段変速機において、入力側可変プーリの有効径を変化させる油圧シリンダ等が入力側可変プーリに一体的に設けられ、入力側可変プーリの油圧シリンダ（入力側油圧シリンダ）の油圧が制御装置によって変化させられることにより伝動ベルトの掛かり径（有効径）が変更され、変速比が連続的に変化させられる。また、出力側可変プーリの有効径を変化させる油圧シリンダ等が出力側可変プーリに一体的に設けられ、出力側可変プーリの油圧シリンダ（出力側油圧シリンダ）の油圧は伝動ベルトが滑りを生じないように制御装置によって制御される。
【００１８】
無段変速機の通常の変速制御、すなわち回転速度センサによる所定回転部材の回転速度を検出可能な所定車速以上の通常走行時の変速制御は、例えば予め定められた変速条件に従って目標変速比を求め、実際の変速比が目標変速比になるように入力側油圧シリンダの油圧をフィードバック制御したり、車速や出力回転速度（駆動輪側回転速度）などに応じて入力側（駆動源側）の目標回転速度を求め、実際の入力回転速度が目標回転速度になるように入力側油圧シリンダの油圧をフィードバック制御したりするなど、種々の態様を採用できる。
【００１９】
上記予め定められた変速条件は、例えばアクセル操作量などの運転者の出力要求量（加速要求量）および車速（出力回転速度に対応）などの運転状態をパラメータとするマップや演算式などによって設定される。
【００２０】
所定車速未満の極低車速走行時のようなフィードバック制御が不可の時の油圧制御は、入力側油圧シリンダの油圧および出力側油圧シリンダの油圧をそれぞれ独立に制御して所定の推力比τ（＝出力側油圧シリンダの油圧×出力側油圧シリンダの断面積／入力側油圧シリンダの油圧×入力側油圧シリンダの断面積）となるように入力側油圧シリンダの油圧を制御するものでも良いが、例えば出力側油圧シリンダの油圧がパイロット圧として導入される推力比コントロールバルブを有し、その推力比コントロールバルブから出力されるコントロール圧に基づいて入力側油圧シリンダの油圧が制御されることにより、所定の推力比τとなるように構成することが望ましい。
【発明を実施するための最良の形態】
【００２１】
以下、本発明の実施例を図面を参照しつつ詳細に説明する。
【実施例】
【００２２】
図１は、本発明が適用された車両用駆動装置１０の構成を説明する骨子図である。この車両用駆動装置１０は横置き型自動変速機であって、ＦＦ（フロントエンジン・フロントドライブ）型車両に好適に採用されるものであり、走行用の動力源としてエンジン１２を備えている。内燃機関にて構成されているエンジン１２の出力は、エンジン１２のクランク軸、流体式伝動装置としてのトルクコンバータ１４から前後進切換装置１６、ベルト式の無段変速機（ＣＶＴ）１８、減速歯車装置２０を介して差動歯車装置２２に伝達され、左右の駆動輪２４Ｌ、２４Ｒへ分配される。
【００２３】
トルクコンバータ１４は、エンジン１２のクランク軸に連結されたポンプ翼車１４ｐ、およびトルクコンバータ１４の出力側部材に相当するタービン軸３４を介して前後進切換装置１６に連結されたタービン翼車１４ｔを備えており、流体を介して動力伝達を行うようになっている。また、それ等のポンプ翼車１４ｐおよびタービン翼車１４ｔの間にはロックアップクラッチ２６が設けられており、油圧制御回路（油圧回路）１００（図２、図３参照）内の図示しないロックアップコントロールバルブ（L/C制御弁）などによって係合側油室および解放側油室に対する油圧供給が切り換えられることにより、係合または解放されるようになっており、完全係合させられることによってポンプ翼車１４ｐおよびタービン翼車１４ｔは一体回転させられる。ポンプ翼車１４ｐには、無段変速機１８を変速制御したりベルト挟圧力を発生させたり、ロックアップクラッチ２６を係合解放制御したり、或いは各部に潤滑油を供給したりするための油圧をエンジン１２により回転駆動されることにより発生する機械式のオイルポンプ２８が連結されている。
【００２４】
前後進切換装置１６は、ダブルピニオン型の遊星歯車装置を主体として構成されており、トルクコンバータ１４のタービン軸３４はサンギヤ１６ｓに一体的に連結され、無段変速機１８の入力軸３６はキャリア１６ｃに一体的に連結されている一方、キャリア１６ｃとサンギヤ１６ｓは前進用クラッチＣ１を介して選択的に連結され、リングギヤ１６ｒは後進用ブレーキＢ１を介してハウジングに選択的に固定されるようになっている。前進用クラッチＣ１および後進用ブレーキＢ１は断続装置に相当するもので、何れも油圧シリンダによって摩擦係合させられる油圧式摩擦係合装置である。
【００２５】
そして、前進用クラッチＣ１が係合させられるとともに後進用ブレーキＢ１が解放されると、前後進切換装置１６は一体回転状態とされることによりタービン軸３４が入力軸３６に直結され、前進用動力伝達経路が成立（達成）させられて、前進方向の駆動力が無段変速機１８側へ伝達される。また、後進用ブレーキＢ１が係合させられるとともに前進用クラッチＣ１が解放されると、前後進切換装置１６は後進用動力伝達経路が成立（達成）させられて、入力軸３６はタービン軸３４に対して逆方向へ回転させられるようになり、後進方向の駆動力が無段変速機１８側へ伝達される。また、前進用クラッチＣ１および後進用ブレーキＢ１が共に解放されると、前後進切換装置１６は動力伝達を遮断するニュートラル状態（動力伝達遮断状態）になる。
【００２６】
無段変速機１８は、入力軸３６に設けられた入力側部材である有効径が可変の入力側可変プーリ（プライマリプーリ、プライマリシーブ）４２と、出力軸４４に設けられた出力側部材である有効径が可変の出力側可変プーリ（セカンダリプーリ、セカンダリシーブ）４６と、それ等の可変プーリ４２、４６に巻き掛けられた伝動ベルト４８とを備えており、可変プーリ４２、４６と伝動ベルト４８との間の摩擦力を介して動力伝達が行われる。
【００２７】
可変プーリ４２および４６は、入力軸３６および出力軸４４にそれぞれ固定された固定回転体４２ａおよび４６ａと、入力軸３６および出力軸４４に対して軸まわりの相対回転不能かつ軸方向の移動可能に設けられた可動回転体４２ｂおよび４６ｂと、それらの間のＶ溝幅を可変するための推力を付与するアクチュエータとしての入力側油圧シリンダ（プライマリプーリ側油圧シリンダ）４２ｃおよび出力側油圧シリンダ（セカンダリプーリ側油圧シリンダ）４６ｃとを備えて構成されており、入力側油圧シリンダ４２ｃの油圧（変速制御圧ＰRATIO）が油圧制御回路１００によって制御されることにより、両可変プーリ４２、４６のＶ溝幅が変化して伝動ベルト４８の掛かり径（有効径）が変更され、変速比γ（＝入力軸回転速度ＮＩＮ／出力軸回転速度ＮＯＵＴ）が連続的に変化させられる。また、出力側油圧シリンダ４６ｃの油圧（挟圧力制御圧ＰBELT）は、伝動ベルト４８が滑りを生じないように油圧制御回路１００によって調圧制御される。
【００２８】
図２は、図１の車両用駆動装置１０などを制御するために車両に設けられた制御系統の要部を説明するブロック線図である。電子制御装置５０は、例えばＣＰＵ、ＲＡＭ、ＲＯＭ、入出力インターフェース等を備えた所謂マイクロコンピュータを含んで構成されており、ＣＰＵはＲＡＭの一時記憶機能を利用しつつ予めＲＯＭに記憶されたプログラムに従って信号処理を行うことにより、エンジン１２の出力制御や無段変速機１８の変速制御およびベルト挟圧力制御やロックアップクラッチ２６のトルク容量制御等を実行するようになっており、必要に応じてエンジン制御用や無段変速機１８およびロックアップクラッチ２６の油圧制御用等に分けて構成される。
【００２９】
電子制御装置５０には、エンジン回転速度センサ５２により検出されたクランク軸回転角度（位置）ＡＣＲ（°）およびエンジン１２の回転速度（エンジン回転速度）ＮＥに対応するクランク軸回転速度を表す信号、タービン回転速度センサ５４により検出されたタービン軸３４の回転速度（タービン回転速度）ＮＴを表す信号、入力軸回転速度センサ５６により検出された無段変速機１８の入力回転速度である入力軸３６の回転速度（入力軸回転速度）ＮＩＮを表す信号、車速センサ（出力軸回転速度センサ）５８により検出された無段変速機１８の出力回転速度である出力軸４４の回転速度（出力軸回転速度）ＮＯＵＴすなわち出力軸回転速度ＮＯＵＴに対応する車速Ｖを表す車速信号、スロットルセンサ６０により検出されたエンジン１２の吸気配管３２（図１参照）に備えられた電子スロットル弁３０のスロットル弁開度θＴＨを表すスロットル弁開度信号、冷却水温センサ６２により検出されたエンジン１２の冷却水温ＴＷを表す信号、ＣＶＴ油温センサ６４により検出された無段変速機１８等の油圧回路の油温ＴＣＶＴを表す信号、アクセル開度センサ６６により検出された出力操作部材であるアクセルペダル６８の操作量であるアクセル開度Ａccを表すアクセル開度信号、フットブレーキスイッチ７０により検出された常用ブレーキであるフットブレーキの操作の有無ＢＯＮを表すブレーキ操作信号、レバーポジションセンサ７２により検出されたシフトレバー７４のレバーポジション（操作位置）ＰＳＨを表す操作位置信号などが供給されている。
【００３０】
また、電子制御装置５０からは、エンジン１２の出力制御の為のエンジン出力制御指令信号ＳＥ、例えば電子スロットル弁３０の開閉を制御するためのスロットルアクチュエータ７６を駆動するスロットル信号や燃料噴射装置７８から噴射される燃料の量を制御するための噴射信号や点火装置８０によるエンジン１２の点火時期を制御するための点火時期信号などが出力される。また、無段変速機１８の変速比γを変化させる為の変速制御指令信号ＳＴ例えば変速制御圧ＰRATIOを制御するための指令信号、伝動ベルト４８の挟圧力を調整させる為の挟圧力制御指令信号ＳＢ例えば挟圧力制御圧ＰBELTを制御するための指令信号、ロックアップクラッチ２６の係合、解放、スリップ量を制御させる為のロックアップ制御指令信号例えば油圧制御回路１００内の前記ロックアップコントロールバルブの弁位置を切り換える図示しないオンオフソレノイド弁ＤＳＵを駆動するための指令信号やロックアップクラッチ２６のトルク容量を調節するソレノイド弁ＤＳ２を駆動するための指令信号、ライン油圧ＰＬを制御するリニアソレノイド弁ＳＬＴやリニアソレノイド弁ＳＬＳを駆動するための指令信号などが油圧制御回路１００へ出力される。
【００３１】
シフトレバー７４は、例えば運転席の近傍に配設され、順次位置させられている５つのレバーポジション「Ｐ」、「Ｒ」、「Ｎ」、「Ｄ」、および「Ｌ」（図３参照）のうちの何れかへ手動操作されるようになっている。
【００３２】
「Ｐ」ポジション（レンジ）は車両用駆動装置１０の動力伝達経路を解放しすなわち車両用駆動装置１０の動力伝達が遮断されるニュートラル状態（中立状態）とし且つメカニカルパーキング機構によって機械的に出力軸４４の回転を阻止（ロック）するための駐車ポジション（位置）であり、「Ｒ」ポジションは出力軸４４の回転方向を逆回転とするための後進走行ポジション（位置）であり、「Ｎ」ポジションは車両用駆動装置１０の動力伝達が遮断されるニュートラル状態とするための中立ポジション（位置）であり、「Ｄ」ポジションは無段変速機１８の変速を許容する変速範囲で自動変速モードを成立させて自動変速制御を実行させる前進走行ポジション（位置）であり、「Ｌ」ポジションは強いエンジンブレーキが作用させられるエンジンブレーキポジション（位置）である。このように、「Ｐ」ポジションおよび「Ｎ」ポジションは車両を走行させないときに選択される非走行ポジションであり、「Ｒ」ポジション、「Ｄ」ポジションおよび「Ｌ」ポジションは車両を走行させるときに選択される走行ポジションである。
【００３３】
図３は、油圧制御回路１００のうち無段変速機１８のベルト挟圧力制御、変速比制御、およびシフトレバー７４の操作に伴う前進用クラッチＣ１或いは後進用ブレーキＢ１の係合油圧制御に関する部分を示す要部油圧回路図である。図３において、油圧制御回路１００は、伝動ベルト４８が滑りを生じないように出力側油圧シリンダ４６ｃの油圧である挟圧力制御圧ＰBELTを調圧する挟圧力コントロールバルブ１１０、リニアソレノイド弁ＳＬＴにより調圧された第１油圧としての制御油圧ＰＳＬＴを出力する第１位置とライン圧モジュレータNO.2バルブ１２２からの第２油圧としての出力油圧ＰＬＭ２を出力する第２位置とに切り換えられる切換弁として機能するクラッチアプライコントロールバルブ１１２、変速比γが連続的に変化させられるように入力側油圧シリンダ４２ｃの油圧である変速制御圧ＰRATIOを調圧する変速比制御弁として機能する変速比コントロールバルブＵＰ１１４および変速比コントロールバルブＤＮ１１６、変速制御圧ＰRATIOと挟圧力制御圧ＰBELTとの比率を予め定められた関係とする推力比コントロールバルブ１１８、前進用クラッチＣ１および後進用ブレーキＢ１が係合或いは解放されるようにシフトレバー７４の操作に従って油路が機械的に切り換えられるマニュアルバルブ１２０等を備えている。
【００３４】
また、ライン油圧ＰＬは、エンジン１２により回転駆動される機械式のオイルポンプ２８（図１参照）から出力（発生）される作動油圧を元圧として、例えばリリーフ型のプライマリレギュレータバルブ（調圧弁）１２４によりリニアソレノイド弁ＳＬＴからの信号圧ＰＳＬＴ或いはリニアソレノイド弁ＳＬＳからの信号圧ＰＳＬＳに基づいてエンジン負荷等に応じた値に調圧されるようになっている。上記出力油圧ＰＬＭ２は、ライン油圧ＰＬを元圧として前記ライン圧モジュレータNO.2バルブ１２２によりリニアソレノイド弁ＳＬＴからの信号圧ＰＳＬＴ或いはリニアソレノイド弁ＳＬＳからの信号圧ＰＳＬＳに基づいて調圧されるようになっている。出力油圧ＰＬＭ３は、制御油圧（信号圧）ＰＳＬＴおよび信号圧ＰＳＬＳの元圧となるものであって、ライン油圧ＰＬを元圧としてライン圧モジュレータNO.3バルブ１２６により一定圧に調圧されるようになっている。モジュレータ油圧ＰＭは、電子制御装置５０によってデューティ制御されるソレノイド弁ＤＳ１の出力油圧である制御油圧ＰＤＳ１およびソレノイド弁ＤＳ２の出力油圧である制御油圧ＰＤＳ２の元圧となるものであって、出力油圧ＰＬＭ３を元圧としてモジュレータバルブ１２８により一定圧に調圧されるようになっている。
【００３５】
前記マニュアルバルブ１２０において、入力ポート１２０ａにはクラッチアプライコントロールバルブ１１２から出力された係合油圧ＰＡが供給される。そして、シフトレバー７４が「Ｄ」ポジション或いは「Ｌ」ポジションに操作されると、係合油圧ＰＡが前進走行用出力圧として前進用出力ポート１２０ｆを経て前進用クラッチＣ１に供給され且つ後進用ブレーキＢ１内の作動油が後進用出力ポート１２０ｒから排出ポートＥＸを経て例えば大気圧にドレーン（排出）されるようにマニュアルバルブ１２０の油路が切り換えられ、前進用クラッチＣ１が係合させられると共に後進用ブレーキＢ１が解放させられる。
【００３６】
また、シフトレバー７４が「Ｒ」ポジションに操作されると、係合油圧ＰＡが後進走行用出力圧として後進用出力ポート１２０ｒを経て後進用ブレーキＢ１に供給され且つ前進用クラッチＣ１内の作動油が前進用出力ポート１２０ｆから排出ポートＥＸを経て例えば大気圧にドレーン（排出）されるようにマニュアルバルブ１２０の油路が切り換えられ、後進用ブレーキＢ１が係合させられると共に前進用クラッチＣ１が解放させられる。
【００３７】
また、シフトレバー７４が「Ｐ」ポジションおよび「Ｎ」ポジションに操作されると、入力ポート１２０ａから前進用出力ポート１２０ｆへの油路および入力ポート１２０ａから後進用出力ポート１２０ｒへの油路がいずれも遮断され且つ前進用クラッチＣ１および後進用ブレーキＢ１内の作動油が何れもマニュアルバルブ１２０からドレーンされるようにマニュアルバルブ１２０の油路が切り換えられ、前進用クラッチＣ１および後進用ブレーキＢ１が共に解放させられる。
【００３８】
前記クラッチアプライコントロールバルブ１１２は、軸方向へ移動可能に設けられることにより制御油圧ＰＳＬＴを入力ポート１１２ｉから出力ポート１１２ｓを経て係合油圧ＰＡとしてマニュアルバルブ１２０へ供給し且つ信号圧ＰＳＬＳを入力ポート１１２ｊから出力ポート１１２ｔを経てライン圧モジュレータNO.2バルブ１２２およびプライマリレギュレータバルブ１２４へ供給する第１の油路を構成する第１位置（ＣＯＮＴＲＯＬ位置）と出力油圧ＰＬＭ２を入力ポート１１２ｋから出力ポート１１２ｓを経て係合油圧ＰＡとしてマニュアルバルブ１２０へ供給し且つ制御油圧ＰＳＬＴを入力ポート１１２ｉから出力ポート１１２ｔを経てライン圧モジュレータNO.2バルブ１２２およびプライマリレギュレータバルブ１２４へ供給する第２の油路を構成する第２位置（ＮＯＲＭＡＬ位置）とに位置させられるスプール弁子１１２ａと、そのスプール弁子１１２ａを第２位置側に向かって付勢する付勢手段としてのスプリング１１２ｂと、スプール弁子１１２ａに第１位置側に向かう推力を付与するために制御油圧ＰＤＳ１を受け入れる油室１１２ｃと、スプール弁子１１２ａに第１位置側に向かう推力を付与するために制御油圧ＰＤＳ２を受け入れる径差部１１２ｄとを備えている。
【００３９】
このように構成されたクラッチアプライコントロールバルブ１１２において、例えば所定の低車速時や車両停止時等にシフトレバー７４が「Ｎ」ポジションから「Ｄ」ポジション或いは「Ｒ」ポジションへ操作されるガレージシフト（Ｎ→Ｄシフト或いはＮ→Ｒシフト）が行われ、所定圧以上の制御油圧ＰＤＳ１が油室１１２ｃへ供給され且つ所定圧以上の制御油圧ＰＤＳ２が径差部１１２ｄへ供給されると、中心線より右側半分に示す第１位置側に切り換えられて制御油圧ＰＳＬＴがマニュアルバルブ１２０を介して前進用クラッチＣ１或いは後進用ブレーキＢ１に供給される。これにより、ガレージシフト時のクラッチＣ１やブレーキＢ１の係合過渡油圧が第１の電磁弁としてのリニアソレノイド弁ＳＬＴによって調圧される。例えば、制御油圧ＰＳＬＴは、Ｎ→Ｄシフト或いはＮ→ＲシフトにおいてクラッチＣ１やブレーキＢ１の過渡的な係合状態を制御するための油圧であって、クラッチＣ１或いはブレーキＢ１が滑らかに係合させられ、係合時のショックが抑制されるように、予め定められた規則に従って調圧される。
【００４０】
また、例えばガレージシフト後のクラッチＣ１やブレーキＢ１が係合させられた定常時等に、制御油圧ＰＤＳ１および制御油圧ＰＤＳ２のうち少なくとも一方の供給が停止させられると、中心線より左側半分に示す第２位置側に切り換えられて出力油圧ＰＬＭ２がマニュアルバルブ１２０を介して前進用クラッチＣ１或いは後進用ブレーキＢ１に供給される。これにより、ガレージシフト後のクラッチＣ１やブレーキＢ１の係合が出力油圧ＰＬＭ２によって保持される。例えば、出力油圧ＰＬＭ２は、クラッチＣ１やブレーキＢ１を完全係合状態とするための所定油圧であって、少なくとも予め定められた一定圧に調圧されると共に信号圧ＰＳＬＴに応じた油圧分を加えて調圧される。
【００４１】
このように、クラッチアプライコントロールバルブ１１２は、クラッチＣ１或いはブレーキＢ１への油圧の供給油路を、ガレージシフト時には前進用クラッチＣ１或いは後進用ブレーキＢ１の過渡的な係合状態を制御するために制御油圧ＰＳＬＴを供給する第１油路と、定常時にはクラッチＣ１或いはブレーキＢ１を完全係合状態とするために出力油圧ＰＬＭ２を供給する第２油路とのいずれかに、第２の電磁弁としてのソレノイド弁ＤＳ１およびソレノイド弁ＤＳ２からの制御油圧ＰＤＳ１および制御油圧ＰＤＳ２に基づいて切り換える切換弁として機能する。
【００４２】
尚、本実施例では、リニアソレノイド弁ＳＬＴの出力油圧を制御油圧ＰＳＬＴと信号圧ＰＳＬＴとで２通りの記載をしているが、ガレージシフト時の係合過渡油圧を制御油圧ＰＳＬＴとし、ライン油圧ＰＬを調圧するためのパイロット圧を信号圧ＰＳＬＴとして明確に区別して用いる。すなわち、リニアソレノイド弁ＳＬＴは、クラッチアプライコントロールバルブ１１２が第１位置に切り換えられているときには前進用クラッチＣ１或いは後進用ブレーキＢ１の過渡的な係合状態を制御するために制御油圧ＰＳＬＴを出力し、クラッチアプライコントロールバルブ１１２が第２位置に切り換えられているときにはライン油圧ＰＬを調圧するために信号圧ＰＳＬＴを出力する。また、この信号圧ＰＳＬＴはプライマリレギュレータバルブ１２４によりライン油圧ＰＬを調圧するためのパイロット圧であり、クラッチＣ１或いはブレーキＢ１を係合するために直接的にそれら係合装置の油圧アクチュエータに供給される油圧でないことから、上記出力油圧ＰＬＭ２よりも小さな油圧とされている。
【００４３】
前記変速比コントロールバルブＵＰ１１４は、軸方向へ移動可能に設けられることによりライン油圧ＰＬを入力ポート１１４ｉから入出力ポート１１４ｊを経て入力側可変プーリ４２へ供給可能且つ入出力ポート１１４ｋを閉弁するアップシフト位置と入力側可変プーリ４２が入出力ポート１１４ｊを介して入出力ポート１１４ｋと連通させられる原位置とに位置させられるスプール弁子１１４ａと、そのスプール弁子１１４ａを原位置側に向かって付勢する付勢手段としてのスプリング１１４ｂと、そのスプリング１１４ｂを収容し且つスプール弁子１１４ａに原位置側に向かう推力を付与するために制御油圧ＰＤＳ２を受け入れる油室１１４ｃと、スプール弁子１１４ａにアップシフト位置側に向かう推力を付与するために制御油圧ＰＤＳ１を受け入れる油室１１４ｄとを備えている。
【００４４】
また、変速比コントロールバルブＤＮ１１６は、軸方向へ移動可能に設けられることにより入出力ポート１１６ｊが排出ポートＥＸと連通させられるダウンシフト位置と入出力ポート１１６ｊが入出力ポート１１６ｋと連通させられる原位置とに位置させられるスプール弁子１１６ａと、そのスプール弁子１１６ａを原位置側に向かって付勢する付勢手段としてのスプリング１１６ｂと、そのスプリング１１６ｂを収容し且つスプール弁子１１６ａに原位置側に向かう推力を付与するために制御油圧ＰＤＳ１を受け入れる油室１１６ｃと、スプール弁子１１６ａにダウンシフト位置側に向かう推力を付与するために制御油圧ＰＤＳ２を受け入れる油室１１６ｄとを備えている。
【００４５】
このように構成された変速比コントロールバルブＵＰ１１４および変速比コントロールバルブＤＮ１１６において、中心線より左側半分に示すようにスプール弁子１１４ａがスプリング１１４ｂの付勢力に従って原位置に保持されている閉じ状態では、入出力ポート１１４ｊと入出力ポート１１４ｋとが連通させられ、入力側可変プーリ４２（入力側油圧シリンダ４２ｃ）の作動油が入出力ポート１１６ｊへ流通することが許容される。また、中心線より右側半分に示すようにスプール弁子１１６ａがスプリング１１６ｂの付勢力に従って原位置に保持されている閉じ状態では、入出力ポート１１６ｊと入出力ポート１１６ｋとが連通させられ、推力比コントロールバルブ１１８からの推力比制御油圧Ｐτが入出力ポート１１４ｋへ流通することが許容される。
【００４６】
また、制御油圧ＰＤＳ１が油室１１４ｄへ供給されると、中心線より右側半分に示すようにスプール弁子１１４ａがその制御油圧ＰＤＳ１に応じた推力によりスプリング１１４ｂの付勢力に抗してアップシフト位置側へ移動させられ、ライン油圧ＰＬが制御油圧ＰＤＳ１に対応する流量で入力ポート１１４ｉから入出力ポート１１４ｊを経て入力側油圧シリンダ４２ｃへ供給されると共に、入出力ポート１１４ｋが遮断されて変速比コントロールバルブＤＮ１１６側への作動油の流通が阻止される。これにより、変速制御圧ＰRATIOが高められ、入力側可変プーリ４２のＶ溝幅が狭くされて変速比γが小さくされるすなわち無段変速機１８がアップシフトされる。
【００４７】
また、制御油圧ＰＤＳ２が油室１１６ｄへ供給されると、中心線より左側半分に示すようにスプール弁子１１６ａがその制御油圧ＰＤＳ２に応じた推力によりスプリング１１６ｂの付勢力に抗してダウンシフト位置側へ移動させられ、入力側油圧シリンダ４２ｃの作動油が制御油圧ＰＤＳ２に対応する流量で入出力ポート１１４ｊから入出力ポート１１４ｋさらに入出力ポート１１６ｊを経て排出ポートＥＸから排出される。これにより、変速制御圧ＰRATIOが低められ、入力側可変プーリ４２のＶ溝幅が広くされて変速比γが大きくされるすなわち無段変速機１８がダウンシフトされる。
【００４８】
このように、制御油圧ＰＤＳ１が出力されると変速比コントロールバルブＵＰ１１４に入力されたライン油圧ＰＬが入力側油圧シリンダ４２ｃへ供給されて変速制御圧ＰRATIOが連続的にアップシフトされ、制御油圧ＰＳ２が出力されると入力側油圧シリンダ４２ｃの作動油が排出ポートＥＸから排出されて変速制御圧ＰRATIOが連続的にダウンシフトされる。
【００４９】
例えば図４に示すようにアクセル開度Ａccをパラメータとして車速Ｖと無段変速機１８の目標入力回転速度である目標入力軸回転速度ＮＩＮ＊との予め記憶された関係（変速マップ）から実際の車速Ｖおよびアクセル開度Ａccで示される車両状態に基づいて設定される目標入力軸回転速度ＮＩＮ＊と実際の入力軸回転速度（以下、実入力軸回転速度という）ＮＩＮとが一致するように、それ等の回転速度差（偏差）ΔＮＩＮ（＝ＮＩＮ＊−ＮＩＮ）に応じて無段変速機１８の変速がフィードバック制御により実行される、すなわち入力側油圧シリンダ４２ｃに対する作動油の供給および排出により変速制御圧ＰRATIOが調圧されて変速比γがフィードバック制御により連続的に変化させられる。
【００５０】
図４の変速マップは変速条件に相当するもので、車速Ｖが小さくアクセル開度Ａccが大きい程大きな変速比γになる目標入力軸回転速度ＮＩＮ＊が設定されるようになっている。また、車速Ｖは出力軸回転速度ＮＯＵＴに対応するため、入力軸回転速度ＮＩＮの目標値である目標入力軸回転速度ＮＩＮ＊は目標変速比に対応し、無段変速機１８の最小変速比γｍｉｎと最大変速比γｍａｘの範囲内で定められる。
【００５１】
また、制御油圧ＰＤＳ１は変速比コントロールバルブＤＮ１１６の油室１１６ｃに供給され、制御油圧ＰＤＳ２に拘らずその変速比コントロールバルブＤＮ１１６を閉じ状態としてダウンシフトを制限する一方、制御油圧ＰＤＳ２は変速比コントロールバルブＵＰ１１４の油室１１４ｃに供給され、制御油圧ＰＤＳ１に拘らずその変速比コントロールバルブＵＰ１１４を閉じ状態としてアップシフトを禁止するようになっている。つまり、制御油圧ＰＤＳ１および制御油圧ＰＤＳ２が共に供給されないときはもちろんであるが、制御油圧ＰＤＳ１および制御油圧ＰＤＳ２が共に供給されるときにも、変速比コントロールバルブＵＰ１１４および変速比コントロールバルブＤＮ１１６は何れも原位置に保持されている閉じ状態とされる。これにより、電気系統の故障などでソレノイド弁ＤＳ１、ＤＳ２の一方が機能しなくなり、制御油圧ＰＤＳ１または制御油圧ＰＤＳ２が最大圧で出力され続けるオンフェール時となった場合でも、急なアップシフトやダウンシフトが生じたり、その急変速に起因してベルト滑りが発生したりすることが防止される。
【００５２】
前記挟圧力コントロールバルブ１１０は、軸方向へ移動可能に設けられることにより入力ポート１１０ｉを開閉してライン油圧ＰＬを入力ポート１１０ｉから出力ポート１１０ｔを経て出力側可変プーリ４６および推力比コントロールバルブ１１８へ挟圧力制御圧ＰBELTを供給可能にするスプール弁子１１０ａと、そのスプール弁子１１０ａを開弁方向へ付勢する付勢手段としてのスプリング１１０ｂと、そのスプリング１１０ｂを収容し且つスプール弁子１１０ａに開弁方向の推力を付与するために制御油圧ＰＳＬＳを受け入れる油室１１０ｃと、スプール弁子１１０ａに閉弁方向の推力を付与するために出力ポート１１０ｔから出力された挟圧力制御圧ＰBELTを受け入れるフィードバック油室１１０ｄと、スプール弁子１１０ａに閉弁方向の推力を付与するためにモジュレータ油圧ＰＭを受け入れる油室１１０ｅとを備えている。
【００５３】
このように構成された挟圧力コントロールバルブ１１０において、伝動ベルト４８が滑りを生じないように制御油圧ＰＳＬＳをパイロット圧としてライン油圧ＰＬが連続的に調圧制御されることにより、出力ポート１１０ｔから挟圧力制御圧ＰBELTが出力される。
【００５４】
例えば図５に示すように伝達トルクに対応するアクセル開度Ａccをパラメータとして変速比γと必要油圧ＰBELT＊（ベルト挟圧力に相当）とのベルト滑りが生じないように予め実験的に求められて記憶された関係（挟圧力マップ）から実際の変速比γおよびアクセル開度Ａccで示される車両状態に基づいて決定された必要油圧ＰBELT＊が得られるように出力側油圧シリンダ４６ｃの挟圧力制御圧ＰBELTが制御され、この挟圧力制御圧ＰBELTに応じてベルト挟圧力すなわち可変プーリ４２、４６と伝動ベルト４８との間の摩擦力が増減させられる。
【００５５】
前記推力比コントロールバルブ１１８は、軸方向へ移動可能に設けられることにより入力ポート１１８ｉを開閉してライン油圧ＰＬを入力ポート１１８ｉから出力ポート１１８ｔを経て変速比コントロールバルブＤＮ１１６へ推力比制御油圧Ｐτを供給可能にするスプール弁子１１８ａと、そのスプール弁子１１８ａを開弁方向へ付勢する付勢手段としてのスプリング１１８ｂと、そのスプリング１１８ｂを収容し且つスプール弁子１１８ａに開弁方向の推力を付与するために挟圧力制御圧ＰBELTを受け入れる油室１１８ｃと、スプール弁子１１８ａに閉弁方向の推力を付与するために出力ポート１１８ｔから出力された推力比制御油圧Ｐτを受け入れるフィードバック油室１１８ｄとを備えている。
【００５６】
このように構成された推力比コントロールバルブ１１８において、油室１１８ｃにおける挟圧力制御圧ＰBELTの受圧面積をａ、フィードバック油室１１８ｄにおける推力比制御油圧Ｐτの受圧面積をｂ、スプリング１１８ｂの付勢力をＦＳとすると、次式（１）で平衡状態となる。
Ｐτ×ｂ＝ＰBELT×ａ＋ＦＳ  ・・・（１）
従って、推力比制御油圧Ｐτは、次式（２）で表され、挟圧力制御圧ＰBELTに比例する。
Ｐτ＝ＰBELT×（ａ／ｂ）＋ＦＳ／ｂ  ・・・（２）
【００５７】
そして、制御油圧ＰＤＳ１および制御油圧ＰＤＳ２が共に供給されないか、或いは所定圧以上の制御油圧ＰＤＳ１および所定圧以上の制御油圧ＰＤＳ２がともに供給されて、変速比コントロールバルブＵＰ１１４および変速比コントロールバルブＤＮ１１６が何れも原位置に保持されている閉じ状態とされたときには、推力比制御油圧Ｐτが入力側油圧シリンダ４２ｃに供給されることから、変速制御圧ＰRATIOが推力比制御油圧Ｐτと一致させられる。つまり、推力比コントロールバルブ１１８により変速制御圧ＰRATIOと挟圧力制御圧ＰBELTとの比率を予め定められた関係に保つ推力比制御油圧Ｐτすなわち変速制御圧ＰRATIOが出力される。
【００５８】
例えば、入力軸回転速度センサ５６の精度上所定車速Ｖ’未満の低車速状態では入力軸回転速度ＮＩＮの検出精度が劣ることから、このような所定車速Ｖ’未満の低車速走行時や発進時には回転速度差（偏差）ΔＮＩＮを解消するための変速比γのフィードバック制御に替えて、制御油圧ＰＤＳ１および制御油圧ＰＤＳ２を供給せず変速比コントロールバルブＵＰ１１４および変速比コントロールバルブＤＮ１１６を何れも閉じ状態とする所謂閉じ込み制御を実行する。これにより、車両発進時には変速制御圧ＰRATIOと挟圧力制御圧ＰBELTとの比率を予め定められた関係とするようにＰBELTに比例するＰRATIOが入力側油圧シリンダ４２ｃへ供給されて、車両停車時から極低車速時における伝動ベルト４８のベルト滑りが防止されると共に、このとき例えば最大変速比γｍａｘに対応する推力比τ（＝出力側油圧シリンダ推力ＷＯＵＴ／入力側油圧シリンダ推力ＷＩＮ；ＷＯＵＴは挟圧力制御圧ＰBELT×出力側油圧シリンダ４６ｃの断面積、ＷＩＮは変速制御圧ＰRATIO×入力側油圧シリンダ４２ｃの断面積）より大きな推力比τが可能なように上記式（２）の右辺第１項の（ａ／ｂ）やＦＳ／ｂが設定されていると、最大変速比γｍａｘ又はその近傍の変速比γｍａｘ’にて良好な発進が行われる。また、上記所定車速Ｖ’は、所定回転部材の回転速度例えば入力軸回転速度ＮＩＮが検出不可能な回転速度となる車速Ｖとして予め定められたフィードバック制御を実行可能な下限の車速であって、例えば２km/h程度に設定されている。
【００５９】
図６は、車速Ｖをパラメータとして変速比γと推力比τとの予め求められて記憶された関係であって、最大変速比γｍａｘに対応する推力比τより大きな推力比τが可能なように上記式（２）の右辺第１項の（ａ／ｂ）が設定された場合の一例を示す図である。図６の一点鎖線で示した車速Ｖのパラメータは入力側油圧シリンダ４２ｃおよび出力側油圧シリンダ４６ｃにおける遠心油圧を考慮して算出した推力比τであり、実線との交点（例えばＶ０、Ｖ２０、Ｖ５０）にて閉じ込み制御時に保持可能な所定の変速比としての変速比γが求められる。例えば、この図６においては、車速Ｖが２０km/h以下であれば閉じ込み制御時に所定の変速比として最大変速比γｍａｘが保持可能である。
【００６０】
図７は、電子制御装置５０による制御機能の要部を説明する機能ブロック線図である。図７において、目標入力回転設定手段１５０は、例えば図４に示すような予め記憶された変速マップから実際の車速Ｖおよびアクセル開度Ａccで示される車両状態に基づいて入力軸回転速度ＮＩＮの目標入力軸回転速度ＮＩＮ＊を逐次設定する。
【００６１】
変速制御手段１５２は、実入力軸回転速度ＮＩＮが前記目標入力回転設定手段１５０によって設定された目標入力軸回転速度ＮＩＮ＊と一致するように、回転速度差ΔＮＩＮ（＝ＮＩＮ＊−ＮＩＮ）に基づいて無段変速機１８の変速をフィードバック制御する。すなわち、入力側油圧シリンダ４２ｃの変速制御圧ＰRATIOを制御する通常の変速制御のための変速指令信号（油圧指令）ＳＴを油圧制御回路１００へ出力して変速比γを連続的に変化させる。
【００６２】
ベルト挟圧力設定手段１５４は、例えば図５に示すような予め実験的に求められて記憶された挟圧力マップから実際の変速比γおよびアクセル開度Ａccで示される車両状態に基づいて必要油圧ＰBELT＊を設定する。
【００６３】
ベルト挟圧力制御手段１５６は、前記ベルト挟圧力設定手段１５４により設定された必要油圧ＰBELT＊が得られるように出力側油圧シリンダ４６ｃの挟圧力制御圧ＰBELTを制御する挟圧力制御指令信号ＳＢを油圧制御回路１００へ出力してベルト挟圧力を増減させる。
【００６４】
油圧制御回路１００は、上記変速制御指令信号ＳＴに従って無段変速機１８の変速が実行されるようにソレノイド弁ＤＳ１或いはソレノイド弁ＤＳ２を作動させて変速制御圧ＰRATIOを調圧すると共に、上記挟圧力制御指令信号ＳＢに従ってベルト挟圧力が増減されるようにリニアソレノイド弁ＳＬＳを作動させて挟圧力制御圧ＰBELTを調圧する。
【００６５】
また、変速制御手段１５２は、前述の機能に加え、車速Ｖが前記所定車速Ｖ’未満であることを条件として、通常の変速制御としての回転速度差ΔＮＩＮを解消するための変速比γのフィードバック制御を行わず、推力比コントロールバルブ１１８により変速制御圧ＰRATIOと挟圧力制御圧ＰBELTとの比率を予め定められた関係に保つ閉じ込み制御を実行する。すなわち、変速比コントロールバルブＵＰ１１４および変速比コントロールバルブＤＮ１１６を閉じ状態とする低車速用の変速制御のための変速指令信号ＳＴ’を油圧制御回路１００へ出力して所定の変速比を成立させる。
【００６６】
油圧制御回路１００は、上記変速制御指令信号ＳＴ’に従って変速比コントロールバルブＵＰ１１４および変速比コントロールバルブＤＮ１１６が閉じ状態とされるようにソレノイド弁ＤＳ１およびソレノイド弁ＤＳ２を作動させず、推力比コントロールバルブ１１８から変速制御圧ＰRATIOと挟圧力制御圧ＰBELTとの比率を予め定められた関係に保つ推力比制御油圧Ｐτを出力する。
【００６７】
エンジン出力制御手段１５８は、エンジン１２の出力制御の為にエンジン出力制御指令信号ＳＥ、例えばスロットル信号や噴射信号や点火時期信号などをそれぞれスロットルアクチュエータ７６や燃料噴射装置７８や点火装置８０へ出力する。例えば、エンジン出力制御手段１５８は、アクセル開度Ａccに応じたスロットル開度θＴＨとなるように電子スロットル弁３０を開閉するスロットル信号をスロットルアクチュエータ７６へ出力してエンジントルクＴＥを制御する動力源出力制御手段として機能する。
【００６８】
係合制御手段１６０は、ガレージシフト時には、クラッチアプライコントロールバルブ１１２を第１位置側へ切り換えると共に、前進用クラッチＣ１或いは後進用ブレーキＢ１の過渡的な係合状態を制御するために係合ショックが抑制されるように係合油圧を緩やかに上昇させるための制御油圧ＰＳＬＴを出力し且つライン油圧ＰＬを調圧するために信号圧ＰＳＬＳを出力する制御指令信号ＳＡを油圧制御回路１００へ出力する。例えば、係合制御手段１６０は、リニアソレノイド弁ＳＬＴをデューティー制御するための指令信号SLTDUTYとして係合過渡油圧指令圧pcltexcを油圧制御回路１００へ出力する。
【００６９】
油圧制御回路１００は、ガレージシフト時には上記制御指令信号ＳＡに従って、クラッチアプライコントロールバルブ１１２が第１位置側へ切り換えられるようにソレノイド弁ＤＳ１およびソレノイド弁ＤＳ２を作動させて所定圧以上の制御油圧ＰＤＳ１および所定圧以上の制御油圧ＰＤＳ２を出力すると共に、予め定められた規則に従って前進用クラッチＣ１或いは後進用ブレーキＢ１が係合されるようにリニアソレノイド弁ＳＬＴを作動させて制御油圧ＰＳＬＴを出力し且つエンジン負荷等に応じてライン油圧ＰＬが調圧されるようにリニアソレノイド弁ＳＬＳを作動させて信号圧ＰＳＬＳを出力する。
【００７０】
また、係合制御手段１６０は、ガレージシフト後例えばガレージシフト開始から所定時間経過後や制御油圧ＰＳＬＴが所定の係合油圧以上となった後等の定常時には、前進用クラッチＣ１或いは後進用ブレーキＢ１へ出力油圧ＰＬＭ２を供給して完全係合状態とするためにクラッチアプライコントロールバルブ１１２を第２位置側へ切り換えると共に、ライン油圧ＰＬを調圧するために信号圧ＰＳＬＴを出力する制御指令信号ＳＡを油圧制御回路１００へ出力する。例えば、係合制御手段１６０は、リニアソレノイド弁ＳＬＴをデューティー制御するための指令信号SLTDUTYとしてライン圧指令圧plctgtを油圧制御回路１００へ出力する。
【００７１】
油圧制御回路１００は、定常時には上記制御指令信号ＳＡに従って、前進用クラッチＣ１或いは後進用ブレーキＢ１へ出力油圧ＰＬＭ２が供給されて完全係合状態とされるようにソレノイド弁ＤＳ１およびソレノイド弁ＤＳ２を同時に作動させずにクラッチアプライコントロールバルブ１１２を第２位置側へ切り換えると共に、エンジン負荷等に応じてライン油圧ＰＬが調圧されるようにリニアソレノイド弁ＳＬＴを作動させて信号圧ＰＳＬＴを出力する。
【００７２】
このように、リニアソレノイド弁ＳＬＴは、ガレージシフト時にはクラッチアプライコントロールバルブ１１２の第１位置において、前進用クラッチＣ１或いは後進用ブレーキＢ１が係合されるように制御油圧ＰＳＬＴを出力する（クラッチ圧モードという）。また、リニアソレノイド弁ＳＬＴは、定常時にはクラッチアプライコントロールバルブ１１２の第２位置において、ライン油圧ＰＬが調圧されるように信号圧ＰＳＬＴを出力する（ライン圧モードという）。また、このクラッチ圧モードにおいては、所定圧以上の制御油圧ＰＤＳ１および所定圧以上の制御油圧ＰＤＳ２が出力されていることから、前進用クラッチＣ１或いは後進用ブレーキＢ１へ制御油圧ＰＳＬＴが供給されると同時に、所定の変速比となるように推力比コントロールバルブ１１８による閉じ込み制御が行われる。
【００７３】
つまり、ガレージシフト時には変速を行う必要がないことから、そのガレージシフトが行われたときには、クラッチアプライコントロールバルブ１１２を第１位置に切り換えるための信号油圧としての所定圧以上の制御油圧ＰＤＳ１および所定圧以上の制御油圧ＰＤＳ２を通常は無段変速機１８の変速を制御するために作動させるソレノイド弁ＤＳ１およびソレノイド弁ＤＳ２から出力させると共に、所定の変速比となるように推力比コントロールバルブ１１８による閉じ込み制御が行われる。
【００７４】
ところで、車両の急停車やＡＢＳ（アンチロック・ブレーキ・システム）作動などにより、無段変速機１８の変速比γを車両発進時の目標変速比γ＊である最大変速比γｍａｘとするための最減速位置まで伝動ベルト４８が戻らない状態で車両停止してエンジン１２を停止させる所謂ベルト戻り不良が生じる場合がある。一方で、エンジン１２始動の際にガレージシフトが行われたときは、たとえエンジン停止中に変速制御圧ＰRATIOが低下していたとしても、推力比コントロールバルブ１１８による閉じ込み制御によって前記式（２）を満足させるように成り行きで変速制御圧ＰRATIOが充満されるだけであり、クラッチアプライコントロールバルブ１１２を第１位置に切り換えるための信号油圧を出力しているソレノイド弁ＤＳ１およびソレノイド弁ＤＳ２を急速に変速制御圧ＰRATIOを充満させるようには制御できない。
【００７５】
そうすると、エンジン１２始動の際にガレージシフトが行われることによって前進用クラッチＣ１或いは後進用ブレーキＢ１が係合されてエンジントルクＴＥが無段変速機１８へ伝達されたときに、伝動ベルト４８が最減速位置まで戻っている状態では入力側可変プーリ４２のＶ溝幅が最大とされており変速制御圧ＰRATIOが充満していなくともベルト挟圧力すなわち挟圧力制御圧ＰBELTのみを制御すればベルト滑りが生じることはないが、ベルト戻り不良が生じている状態では変速制御圧ＰRATIOが充満していないとベルト滑りが生じる可能性がある。
【００７６】
そこで、以下に詳述するように、伝動ベルト４８が最減速位置に戻っていない状態でガレージシフトが行われたときの無段変速機１８に入力（伝達）されるエンジントルクＴＥを低下させるために、例えばベルト戻り不良が生じている状態でのエンジン始動時にガレージシフトが行われたときの無段変速機１８に入力（伝達）されるエンジントルクＴＥを低下させるために、伝動ベルト４８が最減速位置に戻っていない状態において例えばベルト戻り不良が生じた後のエンジン始動後においてガレージシフトが行われたときに入力側油圧シリンダ４２ｃの油圧（変速制御圧ＰRATIO）が充満していない場合には、前進用クラッチＣ１或いは後進用ブレーキＢ１に供給される制御油圧ＰＳＬＴを前記予め定められた規則に従った油圧よりも一時的に低下させるようにリニアソレノイド弁ＳＬＴを制御する。
【００７７】
具体的には、エンジン始動検出手段１６２は、エンジン１２が始動させられたことを、エンジン停止時に例えばイグニッションスイッチやエンジンスタートスイッチがオンされたときに検出する。
【００７８】
ベルト戻り不良判定手段１６４は、前記エンジン始動検出手段１６２によりエンジン１２が始動させられたことが検出された場合に、ベルト戻り不良で停止中であるか否かを判定する。例えば、ベルト戻り不良判定手段は１６４は、車両停止直前の入力軸回転速度ＮＩＮから変速比γが最大変速比γｍａｘとされているか否かを判断すると共に変速比γが最大変速比γｍａｘとされていないと判断したときにはベルト戻り不良が発生中であることを記憶し、その記憶に基づいてエンジン始動時にベルト戻り不良で停止中であると判定する。
【００７９】
ガレージシフト判定手段１６６は、レバーポジションＰＳＨに基づいてガレージシフトが行われたか否かを判定する。
【００８０】
変速制御圧充満判定手段１６８は、変速制御圧ＰRATIOが充満している前であるか否かを判定する。例えば、変速制御圧充満判定手段１６８は、前記エンジン始動検出手段１６２によりエンジン１２が始動させられたことが検出されてからのエンジン始動後経過時間ｔＥＳが所定経過時間ｔＥＳ’以上経過していないか否かに基づいて、変速制御圧ＰRATIOが充満している前であるか否かを判定する。この所定経過時間ｔＥＳ’は、エンジン始動から変速制御圧ＰRATIOが充満するまでに必要な時間として予め実験的に求めて記憶された変速制御圧ＰRATIOが充満していることを判定するための判定時間であって、油温ＴＣＶＴが低くなる程所定経過時間ｔＥＳ’が長くなるように予め記憶された油温ＴＣＶＴと所定経過時間ｔＥＳ’との関係（マップ）から実際の油温ＴＣＶＴに基づいて決定される。
【００８１】
油圧低下制御手段１７０は、前記エンジン始動検出手段１６２によりエンジン１２が始動させられたことが検出されたときに、前記ベルト戻り不良判定手段１６４によりベルト戻り不良で停止中であると判定され、前記ガレージシフト判定手段１６６によりガレージシフトが行われたことが判定され、前記変速制御圧充満判定手段１６８により変速制御圧ＰRATIOが充満している前であると判定された場合には、変速制御圧充満判定手段１６８により変速制御圧ＰRATIOが充満していると判定されるまでの間、制御油圧ＰＳＬＴを予め定められた規則に従った油圧よりも一時的に低下させるようにリニアソレノイド弁ＳＬＴにより調圧する指令を前記係合制御手段１６０に出力する。例えば、油圧低下制御手段１７０は、無段変速機１８に入力（伝達）されるエンジントルクＴＥを遮断させるために、ガレージシフト後もニュートラル状態が継続されるようにリニアソレノイド弁ＳＬＴにより調圧する指令を前記係合制御手段１６０に出力して、係合させるべき前進用クラッチＣ１或いは後進用ブレーキＢ１が解放状態とされるように制御油圧ＰＳＬＴを一時的に低下させる。
【００８２】
係合制御手段１６０は、油圧低下制御手段１７０による指令に従って、例えば動力伝達経路がニュートラル状態とされるように係合させるべき前進用クラッチＣ１或いは後進用ブレーキＢ１を解放状態とするための制御油圧ＰＳＬＴを出力する指令信号SLTDUTYとして解放油圧指令圧pclopenを油圧制御回路１００へ出力する。
【００８３】
この前進用クラッチＣ１或いは後進用ブレーキＢ１を解放状態とするための制御油圧ＰＳＬＴは前進用クラッチＣ１或いは後進用ブレーキＢ１が係合トルク容量を持たない油圧であって、油圧制御回路１００は、解放油圧指令圧pclopenに従って、係合させるべき前進用クラッチＣ１或いは後進用ブレーキＢ１が解放されるようにリニアソレノイド弁ＳＬＴを作動させて制御油圧ＰＳＬＴを例えば零であったり或いは係合させるときの応答速度が早くなるように前進用クラッチＣ１或いは後進用ブレーキＢ１の油圧アクチュエータのリターンスプリング相当の油圧に調圧する。
【００８４】
油圧低下制御手段１７０は、変速制御圧充満判定手段１６８により変速制御圧ＰRATIOが充満していると判定された場合には、係合させるべき前進用クラッチＣ１或いは後進用ブレーキＢ１が係合させられるように制御油圧ＰＳＬＴをリニアソレノイド弁ＳＬＴにより調圧する指令を前記係合制御手段１６０に出力する。
【００８５】
係合制御手段１６０は、油圧低下制御手段１７０による指令に従って、係合させるべき前進用クラッチＣ１或いは後進用ブレーキＢ１の過渡的な係合状態を制御するために制御油圧ＰＳＬＴを出力する指令信号SLTDUTYとして係合過渡油圧指令圧pcltexcを油圧制御回路１００へ出力してドライブ（前進走行、「Ｄ」レンジ）或いはリバース（後進走行、「Ｒ」レンジ）を確定する。係合制御手段１６０は、このドライブ或いはリバース確定後には、前進用クラッチＣ１或いは後進用ブレーキＢ１へ出力油圧ＰＬＭ２を供給して完全係合状態とするためにクラッチアプライコントロールバルブ１１２を第２位置側へ切り換えると共に、ライン油圧ＰＬを調圧するために信号圧ＰＳＬＴを出力する制御指令信号ＳＡを油圧制御回路１００へ出力して、クラッチ圧モードからライン圧モードに切り換える。
【００８６】
エンジン出力制御手段１５８は、前述の機能に加えて、前記油圧低下制御手段１７０により制御油圧ＰＳＬＴが一時的に低下させられ、アクセル開度Ａccに基づいてアクセルペダル６８が踏込操作されたか否かを判定するアクセル踏込み判定手段１７２によりアクセルペダル６８が踏込操作されたと判定されたときには、前記変速制御圧充満判定手段１６８により変速制御圧ＰRATIOが充満していると判定されるまでの間、ベルト戻り不良が生じている状態でのエンジン始動時にガレージシフトが行われたときの無段変速機１８に入力（伝達）されるエンジントルクＴＥを一層確実に低下させるために、アクセルペダル６８による出力増加操作に拘わらずすなわちアクセルペダル６８の踏込操作に拘わらずエンジン１２の出力増加を抑制する。
【００８７】
例えば、エンジン出力制御手段１５８は、エンジン１２の出力増加を抑制する為のエンジン出力制御指令信号ＳＥ、例えば電子スロットル弁３０の開度θＴＨを制御するスロットル信号や燃料噴射量を低減する噴射信号や点火時期を制御する点火時期信号などを単独で或いは組み合わせてスロットルアクチュエータ７６や燃料噴射装置７８や点火装置８０へ出力する。
【００８８】
図８は、電子制御装置５０の制御作動の要部すなわちエンジン始動後のガレージシフトの際のベルト滑りを防止する為の制御作動を説明するフローチャートであり、例えば数ｍｓｅｃ乃至数十ｍｓｅｃ程度の極めて短いサイクルタイムで繰り返し実行されるものである。
【００８９】
先ず、前記エンジン始動検出手段１６２に対応するステップ（以下、ステップを省略する）Ｓ１において、エンジン停止時に例えばイグニッションスイッチやエンジンスタートスイッチがオンされて、エンジン１２が始動させられたことが検出されたことを示している。
【００９０】
次いで、前記ベルト戻り不良判定手段１６４に対応するＳ２において、ベルト戻り不良で停止中であるか否かが判定される。例えば、車両停止直前の入力軸回転速度ＮＩＮから変速比γが最大変速比γｍａｘとされているか否かが判断されると共に変速比γが最大変速比γｍａｘとされていないと判断されたときにはベルト戻り不良が発生中であることが記憶され、エンジン始動時にベルト戻り不良で停止中であると判定される。
【００９１】
上記Ｓ２の判断が否定される場合は本ルーチンが終了させられるが肯定される場合は前記ガレージシフト判定手段１６６に対応するＳ３において、レバーポジションＰＳＨに基づいてガレージシフトが行われたか否かが判定される。また、このＳ３にてガレージシフトが行われると、クラッチアプライコントロールバルブ１１２を第１位置側へ切り換えると共に、ライン油圧ＰＬを調圧するために信号圧ＰＳＬＳを出力する制御指令信号ＳＡが油圧制御回路１００へ出力されて、ライン圧モードからクラッチ圧モードに切り換えられる。
【００９２】
上記Ｓ３の判断が否定される場合は本ルーチンが終了させられるが肯定される場合は前記変速制御圧充満判定手段１６８に対応するＳ４において、変速制御圧ＰRATIOが充満している前であるか否かが判定される。例えば、前記Ｓ１にてエンジン１２が始動させられたことが検出されてからのエンジン始動後経過時間ｔＥＳが所定経過時間ｔＥＳ’以上経過していないときには、変速制御圧ＰRATIOが充満している前であると判定される。
【００９３】
上記Ｓ４の判断が否定される場合は前記油圧低下制御手段１７０および係合制御手段１６０に対応するＳ５において、ガレージシフトによって係合させられるべき前進用クラッチＣ１或いは後進用ブレーキＢ１が係合させられるように制御油圧ＰＳＬＴをリニアソレノイド弁ＳＬＴにより調圧する指令が出力され、前進用クラッチＣ１或いは後進用ブレーキＢ１の過渡的な係合状態を制御するために制御油圧ＰＳＬＴを出力する指令信号SLTDUTYとして係合過渡油圧指令圧pcltexcが油圧制御回路１００へ出力されてドライブ或いはリバースが確定される。このドライブ或いはリバース確定後には、前進用クラッチＣ１或いは後進用ブレーキＢ１へ出力油圧ＰＬＭ２を供給して完全係合状態とするためにクラッチアプライコントロールバルブ１１２を第２位置側へ切り換えると共に、ライン油圧ＰＬを調圧するために信号圧ＰＳＬＴを出力する制御指令信号ＳＡが油圧制御回路１００へ出力されて、クラッチ圧モードからライン圧モードに切り換えられる。
【００９４】
前記Ｓ４の判断が肯定される場合は前記油圧低下制御手段１７０および係合制御手段１６０に対応するＳ６において、ガレージシフトによって係合させられるべき前進用クラッチＣ１或いは後進用ブレーキＢ１が解放状態とされるように制御油圧ＰＳＬＴをリニアソレノイド弁ＳＬＴにより調圧する指令が出力され、動力伝達経路がニュートラル状態とされるように前進用クラッチＣ１或いは後進用ブレーキＢ１を解放状態とするための制御油圧ＰＳＬＴを出力する指令信号SLTDUTYとして解放油圧指令圧pclopenが油圧制御回路１００へ出力される。油圧制御回路１００は、解放油圧指令圧pclopenに従って、係合させるべき前進用クラッチＣ１或いは後進用ブレーキＢ１が解放されるようにリニアソレノイド弁ＳＬＴを作動させて制御油圧ＰＳＬＴを前進用クラッチＣ１或いは後進用ブレーキＢ１の油圧アクチュエータのリターンスプリング相当の油圧に調圧する。
【００９５】
次いで、前記アクセル踏込み判定手段１７２に対応するＳ７において、上記Ｓ６にて制御油圧ＰＳＬＴが一時的に低下させられているときにアクセル開度Ａccに基づいてアクセルペダル６８が踏込操作されたか否かが判定される。
【００９６】
上記７の判断が否定される場合は本ルーチンが終了させられるが肯定される場合は前記エンジン出力制御手段１５８に対応するＳ８において、無段変速機１８に入力（伝達）されるエンジントルクＴＥを一層確実に低下させるために、アクセルペダル６８による出力増加操作に拘わらずエンジン１２の出力増加が抑制される。例えば、エンジン１２の出力を抑制する為のエンジン出力制御指令信号ＳＥとして、電子スロットル弁３０の開度θＴＨをエンジン１２のアイドル回転速度ＮＩＤＬが維持される程度の閉じ状態とする為のスロットル信号がスロットルアクチュエータ７６へ出力される。
【００９７】
上述のように、本実施例によれば、伝動ベルト４８が最減速位置に戻っていない状態においてガレージシフトが行われたときに変速制御圧ＰRATIOが充満していない場合には、前進用クラッチＣ１或いは後進用ブレーキＢ１に供給される制御油圧ＰＳＬＴを前記予め定められた規則に従った油圧よりも一時的に低下させるように油圧低下制御手段１７０によりリニアソレノイド弁ＳＬＴが制御されるので、無段変速機１８に入力（伝達）されるエンジントルクＴＥが低下させられて、伝動ベルト４８が最減速位置に戻っていない状態でガレージシフトが行われたときのベルト滑りが抑制される。
【００９８】
また、本実施例によれば、ガレージシフト後もニュートラル状態が継続されるように油圧低下制御手段１７０により制御油圧ＰＳＬＴが一時的に低下させられるので、無段変速機１８に入力（伝達）されるエンジントルクＴＥが遮断させられて、伝動ベルト４８が最減速位置に戻っていない状態でガレージシフトが行われたときのベルト滑りが防止される。
【００９９】
また、本実施例によれば、ベルト戻り不良で停止中のエンジン始動後において、油圧低下制御手段１７０により制御油圧ＰＳＬＴが一時的に低下させられるので、ベルト戻り不良が生じている状態でのエンジン始動時にガレージシフトが行われたときのベルト滑りが抑制されたり或いは防止される。
【０１００】
また、本実施例によれば、所定経過時間ｔＥＳ’以上経過して変速制御圧ＰRATIOが充満するまでの間、油圧低下制御手段１７０により制御油圧ＰＳＬＴが一時的に低下させられるので、ベルト戻り不良が生じている状態でのエンジン始動時にガレージシフトが行われたときのベルト滑りが抑制されたり或いは防止される。
【０１０１】
つまり、本実施例によれば、ベルト戻り不良で停止中のエンジン始動後においてガレージシフトが行われたときに変速制御圧ＰRATIOが充満していない場合には、その変速制御圧ＰRATIOが充満するまでの間、前進用クラッチＣ１或いは後進用ブレーキＢ１に供給される制御油圧ＰＳＬＴを予め定められた規則に従った油圧よりも一時的に低下させるように油圧低下制御手段１７０によりリニアソレノイド弁ＳＬＴが制御されるので、無段変速機１８に入力（伝達）されるエンジントルクＴＥが低下させられてベルト戻り不良が生じている状態でのエンジン始動時にガレージシフトが行われたときのベルト滑りが抑制される。
【０１０２】
また、本実施例によれば、油圧低下制御手段１７０により制御油圧ＰＳＬＴが一時的に低下させられているときには、アクセルペダル６８による出力増加操作に拘わらずエンジン出力制御手段１５８によりエンジン１２の出力増加が抑制されるので、無段変速機１８に入力（伝達）されるエンジントルクＴＥの増加が抑制させられてベルト戻り不良が生じている状態でのエンジン始動時にガレージシフトが行われたときのベルト滑りが一層確実に抑制されたり或いは防止される。
【０１０３】
以上、本発明の実施例を図面に基づいて詳細に説明したが、本発明はその他の態様においても適用される。
【０１０４】
例えば、前述の実施例において、変速制御圧充満判定手段１６８は、変速制御圧ＰRATIOが充満している前であるか否かを、エンジン始動後経過時間ｔＥＳが所定経過時間ｔＥＳ’以上経過していないか否かに基づいて判定したが、それに限らず変速制御圧ＰRATIOの充満を判定できる範囲で種々の態様が可能である。例えば、変速制御圧ＰRATIOを検出するセンサや所定圧以上の変速制御圧ＰRATIOを検出したときにオン状態となる油圧スイッチを設け、変速制御圧充満判定手段１６８は、センサにより検出された変速制御圧ＰRATIOが所定圧未満であるときや油圧スイッチがオン状態でないときに変速制御圧ＰRATIOが充満している前であると判定しても良い。
【０１０５】
例えば、前述の実施例における入力軸回転速度ＮＩＮやそれに関連する目標入力軸回転速度ＮＩＮ＊などは、それら入力軸回転速度ＮＩＮなどに替えて、エンジン回転速度ＮＥやそれに関連する目標エンジン回転速度ＮＥ＊など、或いはタービン回転速度ＮＴやそれに関連する目標タービン回転速度ＮＴ＊などであっても良い。従って、入力軸回転速度センサ５６等の回転速度センサは、制御する必要がある回転速度に合わせて適宜備えられれば良い。
【０１０６】
また、前述の実施例において、流体伝動装置としてロックアップクラッチ２６が備えられているトルクコンバータ１４が用いられていたが、ロックアップクラッチ２６は必ずしも設けられなくてもよく、またトルクコンバータ１４に替えて、トルク増幅作用のない流体継手（フルードカップリング）などの他の流体式動力伝達装置が用いられてもよい。
【０１０７】
なお、上述したのはあくまでも一実施形態であり、本発明は当業者の知識に基づいて種々の変更、改良を加えた態様で実施することができる。
【図面の簡単な説明】
【０１０８】
【図１】本発明が適用された車両用駆動装置を説明する骨子図である。
【図２】図１の車両用駆動装置などを制御するために車両に設けられた制御系統の要部を説明するブロック線図である。
【図３】油圧制御回路のうち無段変速機のベルト挟圧力制御、変速比制御、およびシフトレバーの操作に伴う前進用クラッチ或いは後進用ブレーキの係合油圧制御に関する部分を示す要部油圧回路図である。
【図４】無段変速機の変速制御において目標入力回転速度を求める際に用いられる変速マップの一例を示す図である。
【図５】無段変速機の挟圧力制御において変速比等に応じて必要油圧を求める必要油圧マップの一例を示す図である。
【図６】車速をパラメータとして変速比と推力比との予め求められて記憶された関係であって、最大変速比に対応する推力比より大きな推力比が可能なように設定された場合の一例を示す図である。
【図７】図２の電子制御装置の制御機能の要部を説明する機能ブロック線図である。
【図８】図２の電子制御装置の制御作動の要部すなわちエンジン始動後のガレージシフトの際のベルト滑りを防止する為の制御作動を説明するフローチャートである。
【符号の説明】
【０１０９】
１２：エンジン（走行用動力源）
１８：無段変速機
２４：駆動輪
４２ｃ：入力側油圧シリンダ（アクチュエータ）
５０：電子制御装置（制御装置）
６８：アクセルペダル（出力操作部材）
１１２：クラッチアプライコントロールバルブ（切換弁）
１１４：変速比コントロールバルブＵＰ（変速比制御弁）
１１６：変速比コントロールバルブＤＮ（変速比制御弁）
１５８：エンジン出力制御手段（動力源出力制御手段）
１７０：油圧低下制御手段
ＳＬＴ：リニアソレノイド弁（第１の電磁弁）
ＤＳ１、ＤＳ２：ソレノイド弁（第２の電磁弁）
Ｃ１：前進用クラッチ（油圧式係合装置）
Ｂ１：後進用ブレーキ（油圧式係合装置）
【図１】
2007177832.tif 000003
【図２】
2007177832.tif 000004
【図３】
2007177832.tif 000005
【図４】
2007177832.tif 000006
【図５】
2007177832.tif 000007
【図６】
2007177832.tif 000008
【図７】
2007177832.tif 000009
【図８】
2007177832.tif 000010